(57)【要約】【課題】給電路の一部を構成するケーブルの途中にヒューズを挿入する面倒なハーネス加工を不要とし、極性を取り違えてケーブルを誤接続することを防止する。【解決手段】ハウジング１１は、前方に開放する二つの開口部１１３を有すると共に、突出部１１４を設けることによりプラグ側誤嵌合防止部を外表面に有する。コンタクト１３は、開口部１１３の内部に配置され、接続部１３１を備える。コンタクト１４は、コンタクト１３の後方に配置され、ケーブル１６の導電部１６１に接続する接続部１４１を備える。コンタクト１５は、開口部１１３の内部に配置され、接続部１５１と接続部１５４とを備える。ヒューズ１７は、ハウジング１１に収納され、コンタクト１３とコンタクト１４とを接続する。【選択図】図５
2015128038.tif 000002
【特許請求の範囲】
【請求項１】
電源から電子機器に給電する給電路に設けられるプラグ型ＤＣコネクタであって、
前方に開放する二つの開口部を有すると共に、相手側コネクタとの誤嵌合を防止するためのプラグ側誤嵌合防止部を外表面に有する絶縁性のハウジングと、
前記ハウジングに固定され、前記二つの開口部のうちの一方の内部に配置されて前記相手側コネクタの第１の相手側コンタクトに接続する第１のプラグ側接続部を備える第１のプラグ側コンタクトと、
前記ハウジングに固定されて前記第１のプラグ側コンタクトに対して離間して配置され、ケーブルの導電部に接続するケーブル接続部を備える第２のプラグ側コンタクトと、
前記ハウジングに固定され、前記二つの開口部のうちの他方の内部に配置されて前記相手側コネクタの第２の相手側コンタクトに接続する第２のプラグ側接続部と、ケーブルの導電部に接続するケーブル接続部と、を備える第３のプラグ側コンタクトと、
前記ハウジングに収納され、前記第１のプラグ側コンタクトと前記第２のプラグ側コンタクトとを接続するヒューズと、
を有することを特徴とするプラグ型ＤＣコネクタ。
【請求項２】
前記ハウジングに取り付けられるカバーを更に有し、
前記ハウジングは、
前記第１のプラグ側コンタクト、前記第２のプラグ側コンタクト、前記第３のプラグ側コンタクト及び前記ヒューズを内部に収納する収納部と、前記収納部の内部を外部に開放すると共に前記カバーにより覆われる収納用開口部と、を更に有し、
前記カバーは、
外部と前記収納部とを連通して前記第１のプラグ側コンタクト及び前記第２のプラグ側コンタクトにおける前記ヒューズとの接続部を外部に露出する連通孔を有し、
前記連通孔は、
前記ヒューズを前記ハウジングに収納する際のガイドとなることを特徴とする請求項１記載のプラグ型ＤＣコネクタ。
【請求項３】
前記第１のプラグ側コンタクト及び前記第２のプラグ側コンタクトは、
前記電源の陽極側に接続され、
前記第３のプラグ側コンタクトは、
前記電源の陰極側に接続されることを特徴とする請求項１又は請求項２記載のプラグ型ＤＣコネクタ。
【請求項４】
請求項１から請求項３の何れかに記載のプラグ型ＤＣコネクタと接続する前記相手側コネクタであるソケット型ＤＣコネクタであって、
前記プラグ型ＤＣコネクタを挿入するための前方に開口したプラグ挿入口と、前記プラグ挿入口に形成されると共に前記プラグ側誤嵌合防止部の形状に対応する形状のソケット側誤嵌合防止部と、を備える絶縁性のハウジングと、
前記ハウジングに固定され、前記プラグ挿入口の内部に配置されて前記第１のプラグ側接続部と接続するソケット側接続部と、前記ハウジングより外部に突出してバスバーに接続する端子部と、を備える前記第１の相手側コンタクトである第１のソケット側コンタクトと、
前記ハウジングに固定され、前記プラグ挿入口の内部に配置されて前記第２のプラグ側接続部と接続するソケット側接続部と、前記ハウジングより外部に突出してバスバーに接続する端子部と、を備える前記第２の相手側コンタクトである第２のソケット側コンタクトと、
を有することを特徴とするソケット型ＤＣコネクタ。
【請求項５】
前記ハウジングは、
前方に隣接して開口する前記プラグ挿入口を複数備えることを特徴とする請求項４記載のソケット型ＤＣコネクタ。
【請求項６】
ソケットと二つのプラグとからなり、
前記二つのプラグは、各々その先端に開口する二つの開口部内に棒状コンタクトを有し、かつ該二つのプラグは相互にその一部に各々を特徴付ける特有の形状を有し、
前記ソケットは二段重ね状態に開口した、前記二つのプラグを挿入するための二つのプラグ挿入口を有するハーネス側ユニットとサーバーラックのバスバーに接続するバスバー側ヘッダーとからなり、
前記ハーネス側ユニットは、その二つのプラグ挿入口に、各々前記二つのプラグのうちの一方又は他方のみの挿入を可能とすべく、各々の一部に対応する各々を特徴付ける特有の形状に対応する形状を構成し、各プラグ挿入口内に前記二つの棒状コンタクトと嵌合する二つの筒状コンタクトを構成し、かつ該各二つの筒状コンタクトと前記バスバー側ヘッダーの端子部とを結合する導体の後端部を該バスバー側ヘッダーとの接合面に突出させ、更に陽極側の筒状コンタクトと該バスバー側ヘッダーの端子部を結合する導体の途中にヒューズを挿入することとし、
他方、前記バスバー側ヘッダーには、前記ハーネス側ユニットとの接合面に、前記各導体の後端部を挿入させるスリットを構成し、かつ一端を該スリットに挿入させた導体の後端部に接触させ、他端を該接合面と反対側の面に突出して前記バスバーに接続する接続部となる端子部を構成したものであることを特徴とするＤＣコネクタ。
【請求項７】
前記二つのプラグの一部に有する各々を特徴付ける特有の形状として、各プラグのハウジングの外面の相互に異なる位置にキー溝を構成し、前記ソケットの二つのプラグ挿入口の該各プラグに対応する側のそれの内面に、各々のキー溝に対応するキー突条を突出させたものであることを特徴とする請求項６記載のＤＣコネクタ。
【請求項８】
前記プラグの棒状コンタクトに接続するケーブルの被覆の色を、該棒状コンタクトの極性毎に異なる色に設定したものであることを特徴とする請求項６又は請求項７記載のＤＣコネクタ。
【発明の詳細な説明】
【技術分野】
【０００１】
本発明は、電源から電子機器に給電する給電路に設けられるプラグ型ＤＣコネクタ及びＤＣコネクタに関する。
【背景技術】
【０００２】
現在、サーバー等の電子機器への給電に関して、これらの電子機器をラックに搭載し、同じくラックに搭載した集中電源からバスバーを介して電子機器に給電する給電路の給電構造が知られている。
【０００３】
特許文献１は、電子機器の給電構造に関し、電子機器ユニットと直流電源ユニットとをラックに収納し、前記直流電源ユニットから前記電子機器ユニットに給電する電子機器の給電構造において、前記直流電源ユニットを前記ラックの中央部に収納し、前記直流電源ユニットの電源出力部から前記電子機器ユニットの電源入力部までの給電経路を給電バーによって形成し、かつ弾性力により接点が付勢されたコネクタによって前記給電バーと前記電源出力部及び前記給電バーと前記電源入力部とがそれぞれ電気的に接続されるように構成したものである。
【０００４】
従って特許文献１の電子機器の給電構造においては、給電路の大部分が、電子機器ユニットの電源入力部及び直流電源ユニットの電源出力部に延びる分岐部を備えた太い銅の棒材である給電バーで構成されるものであること、並びに、該直流電源ユニットがラックの中央部に収納されるものであることから、給電路のインピーダンスが低くなるとされており、これは確かであると思われるが、電子機器ユニット及び直流電源ユニットの配置を特定し、更に前者の電源入力部の位置及び後者の電源出力部の位置に合わせて給電バーの分岐部を構成する必要があるなど、汎用性に欠けるという課題がある。
【０００５】
特許文献２は、サーバーラック及びサーバーラックの給電方法に関し、前者のサーバーラックは、複数のサーバーを搭載するサーバーラックであって、前記複数のサーバー間に一定間隔で配置され、それぞれが１以上の前記サーバーに電力を供給する複数の集中電源ユニットと、前記サーバーと前記集中電源ユニットとを接続する直流電源ケーブルとを有し、前記直流電源ケーブルは、各サーバーと前記集中電源ユニットとを所定の距離範囲内で接続することとしたものであり、
後者のサーバーラックの給電方法は、複数のサーバーを搭載するサーバーラックの給電方法であって、前記複数のサーバー間に一定間隔で集中電源ユニットを配置し、それぞれの前記集中電源ユニットに１以上の前記サーバーに電力を供給させ、前記サーバーと前記集中電源ユニットとの間を所定の距離範囲内の直流電源ケーブルで接続するようにした給電方法である。
【０００６】
特許文献２の給電方法においては、集中電源ユニットとサーバーとを直流電源ケーブルを用いて接続するため、汎用性を有する。また、特許文献２の直流電源ケーブルを用いて給電する給電路の給電構造においては、給電路に大電流が流れるため、通常、これらの直流電源ケーブルの途中にヒューズを挿入することが必須となっている。
【先行技術文献】
【特許文献】
【０００７】
【特許文献１】特開平１０−２２４９１５号公報
【特許文献２】特開２０１１−２２９２８１号公報
【発明の概要】
【発明が解決しようとする課題】
【０００８】
しかしながら、特許文献２においては、ケーブルの途中にヒューズを挿入するためハーネス加工が面倒であり、また、極性を取り違えてケーブルを誤接続する可能性があるという課題を有する。
【０００９】
本発明の目的は、給電路の一部を構成するケーブルの途中にヒューズを挿入する面倒なハーネス加工を不要とし、極性を取り違えてケーブルを誤接続することを防止するプラグ型ＤＣコネクタ及びＤＣコネクタを提供することである。
【課題を解決するための手段】
【００１０】
本発明に係るプラグ型ＤＣコネクタは、電源から電子機器に給電する給電路に設けられるプラグ型ＤＣコネクタであって、前方に開放する二つの開口部を有すると共に、相手側コネクタとの誤嵌合を防止するためのプラグ側誤嵌合防止部を外表面に有する絶縁性のハウジングと、前記ハウジングに固定され、前記二つの開口部のうちの一方の内部に配置されて前記相手側コネクタの第１の相手側コンタクトに接続する第１のプラグ側接続部を備える第１のプラグ側コンタクトと、前記ハウジングに固定されて前記第１のプラグ側コンタクトに対して離間して配置され、ケーブルの導電部に接続するケーブル接続部を備える第２のプラグ側コンタクトと、前記ハウジングに固定され、前記二つの開口部のうちの他方の内部に配置されて前記相手側コネクタの第２の相手側コンタクトに接続する第２のプラグ側接続部と、ケーブルの導電部に接続するケーブル接続部と、を備える第３のプラグ側コンタクトと、前記ハウジングに収納され、前記第１のプラグ側コンタクトと前記第２のプラグ側コンタクトとを接続するヒューズと、を有する。
【００１１】
本発明に係るＤＣコネクタは、ソケットと二つのプラグとからなり、前記二つのプラグは、各々その先端に開口する二つの開口部内に棒状コンタクトを有し、かつ該二つのプラグは相互にその一部に各々を特徴付ける特有の形状を有し、前記ソケットは二段重ね状態に開口した、前記二つのプラグを挿入するための二つのプラグ挿入口を有するハーネス側ユニットとサーバーラックのバスバーに接続するバスバー側ヘッダーとからなり、前記ハーネス側ユニットは、その二つのプラグ挿入口に、各々前記二つのプラグのうちの一方又は他方のみの挿入を可能とすべく、各々の一部に対応する各々を特徴付ける特有の形状に対応する形状を構成し、各プラグ挿入口内に前記二つの棒状コンタクトと嵌合する二つの筒状コンタクトを構成し、かつ該各二つの筒状コンタクトと前記バスバー側ヘッダーの端子部とを結合する導体の後端部を該バスバー側ヘッダーとの接合面に突出させ、更に陽極側の筒状コンタクトと該バスバー側ヘッダーの端子部を結合する導体の途中にヒューズを挿入することとし、他方、前記バスバー側ヘッダーには、前記ハーネス側ユニットとの接合面に、前記各導体の後端部を挿入させるスリットを構成し、かつ一端を該スリットに挿入させた導体の後端部に接触させ、他端を該接合面と反対側の面に突出して前記バスバーに接続する接続部となる端子部を構成したものである。
【発明の効果】
【００１２】
本発明によれば、給電路の一部を構成するケーブルの途中にヒューズを挿入する面倒なハーネス加工を不要にすることができると共に、極性を取り違えてケーブルを誤接続することを防止することができる。
【図面の簡単な説明】
【００１３】
【図１】図１は、本発明の第１の実施形態に係るプラグ型ＤＣコネクタの斜視図である。
【図２】図２は、本発明の第１の実施形態に係るプラグ型ＤＣコネクタの平面図である。
【図３】図３は、図２のＦ−Ｆ線断面図である。
【図４】図４は、図２のＧ−Ｇ線断面図である。
【図５】図５は、図２のＨ−Ｈ線断面図である。
【図６】図６は、本発明の第１の実施形態に係るソケット型ＤＣコネクタの斜視図である。
【図７】図７は、本発明の第１の実施形態に係るソケット型ＤＣコネクタの平面図である。
【図８】図８は、図７のＩ−Ｉ線断面図である。
【図９】図９は、本発明の第１の実施形態におけるソケット型ＤＣコネクタとプラグ型ＤＣコネクタとが嵌合した状態の斜視図である。
【図１０】図１０は、図９のＥ−Ｅ線断面図である。
【図１１】図１１は、本発明の第２の実施形態におけるソケット型ＤＣコネクタとプラグ型ＤＣコネクタとが嵌合した状態の構成を示す図であり、図１１(a)は、ソケット型ＤＣコネクタとプラグ型ＤＣコネクタとが嵌合した状態の平面図、図１１(b)は、ソケット型ＤＣコネクタとプラグ型ＤＣコネクタとが嵌合した状態の正面図、図１１(c)は、ソケット型ＤＣコネクタとプラグ型ＤＣコネクタとが嵌合した状態の右側面図である。
【図１２】図１２は、本発明の第２の実施形態におけるソケット型ＤＣコネクタとプラグ型ＤＣコネクタとが嵌合した状態の構成を示す図であり、図１２(a)は、ソケット型ＤＣコネクタとプラグ型ＤＣコネクタとが嵌合した状態の背面図、図１２(b)は、ソケット型ＤＣコネクタとプラグ型ＤＣコネクタとが嵌合した状態の正面側右斜め上方から見た斜視図、図１２(c)は、図１１(b)のＡ−Ａ線断面図である。
【図１３】図１３は、本発明の第２の実施形態におけるソケット型ＤＣコネクタとプラグ型ＤＣコネクタとが嵌合した状態の背面斜め下方から見上げた斜視図である。
【図１４】図１４は、本発明の第２の実施形態に係るソケット型ＤＣコネクタを右斜め上方から見下ろした分解斜視図である。
【図１５】図１５は、本発明の第２の実施形態に係るソケット型ＤＣコネクタを右斜め下方から見上げた分解斜視図である。
【図１６】図１６は、本発明の第２の実施形態に係るソケット型ＤＣコネクタの構成を示す図であり、図１６(a)は、ソケット型ＤＣコネクタの正面図、図１６(b)は、ソケット型ＤＣコネクタの平面図、図１６(c)は、ソケット型ＤＣコネクタの底面図、図１６(d)は、ソケット型ＤＣコネクタの右側面図である。
【図１７】図１７は、本発明の第２の実施形態に係るソケット型ＤＣコネクタの構成を示す図であり、図１７(a)は、図１６(a)のＢ−Ｂ線断面図、図１７(b)は、ソケット型ＤＣコネクタの背面図、図１７(c)は、ソケット型ＤＣコネクタの右斜め上方から見下ろした斜視図、図１７(d)は、ソケット型ＤＣコネクタの右斜め下方から見上げた斜視図である。
【図１８】図１８は、本発明の第２の実施形態におけるソケット型ＤＣコネクタの上方のプラグ挿入口に挿入されるプラグ型ＤＣコネクタの構成を示す図であり、図１８(a)は、プラグ型ＤＣコネクタの正面図、図１８(b)は、プラグ型ＤＣコネクタの平面図、図１８(c)は、プラグ型ＤＣコネクタの背面図、図１８(d)は、プラグ型ＤＣコネクタの右側面図、図１８(e)は、プラグ型ＤＣコネクタの底面図、図１８(f)は、プラグ型ＤＣコネクタの左側面図である。
【図１９】図１９は、本発明の第２の実施形態におけるソケット型ＤＣコネクタの上方のプラグ挿入口に挿入されるプラグ型ＤＣコネクタの構成を示す図であり、図１９(a)は、図１８(a)のＣ−Ｃ線断面図、図１９(b)は、プラグ型ＤＣコネクタの右斜め上方から見下ろした斜視図、図１９(c)は、プラグ型ＤＣコネクタの右斜め下方から見上げた斜視図である。
【図２０】図２０は、本発明の第２の実施形態におけるソケット型ＤＣコネクタの下方のプラグ挿入口に挿入されるプラグ型ＤＣコネクタの構成を示す図であり、図２０(a)は、プラグ型ＤＣコネクタの正面図（ソケットのプラグ挿入口への挿入時は上下反転状態となる）、図２０(b)は、プラグ型ＤＣコネクタの背面図、図２０(c)は、プラグ型コネクタの左側面図、図２０(d)は、プラグ型ＤＣコネクタの右側面図、図２０(e)は、プラグ型ＤＣコネクタの平面図、図２０(f)は、プラグ型ＤＣコネクタの底面図である。
【図２１】図２１は、本発明の第２の実施形態におけるソケット型ＤＣコネクタの下方のプラグ挿入口に挿入されるプラグ型ＤＣコネクタの構成を示す図であり、図２１(a)は、図２０(a)のＤ−Ｄ線断面図（ソケットのプラグ挿入口への挿入時は上下反転状態となる）、図２１(b)は、プラグ型ＤＣコネクタの右斜め上方から見下ろした斜視図、図２１(c)は、プラグ型ＤＣコネクタの右斜め下方から見上げた斜視図である。
【発明を実施するための形態】
【００１４】
以下、図面を適宜参照して、本発明の実施形態につき、詳細に説明する。
【００１５】
（第１の実施形態）
本発明の第１の実施形態に係るプラグ型ＤＣコネクタ１０ａ、１０ｂの構成について、図１から図５を参照しながら詳細に説明する。
【００１６】
プラグ型ＤＣコネクタ１０ａ、１０ｂは、ハウジング１１と、カバー１２と、コンタクト１３と、コンタクト１４と、コンタクト１５と、ヒューズ１７と、を有している。なお、プラグ型ＤＣコネクタ１０ａとプラグ型ＤＣコネクタ１０ｂとは同一構成であるため、プラグ型ＤＣコネクタ１０ａについてその構成の詳細を説明し、プラグ型ＤＣコネクタ１０ｂの構成の詳細な説明を省略する。
【００１７】
ハウジング１１は、前方（図２の左方向）に開放する二つの開口部１１３を有している。ハウジング１１は、前方に突出する突出部１１４を有し、突出部１１４を設けることにより外表面である前面が凹凸形状になっている。ハウジング１１の前面には、この凹凸形状を設けることにより、後述するソケット型ＤＣコネクタ２０との誤嵌合を防止するための誤嵌合防止部が形成される。ハウジング１１の左右両側面には、ハウジング１１と一体のロック部１１１が設けられている。ロック部１１１は、ハウジング１１の左右側面より片持ち状に後方に延設され、ハウジング１１の左右側面との接続部１１７を支点に弾性変形可能である。ロック部１１１には、左右外方に突出する係止爪１１２が形成されている。ハウジング１１は、コンタクト１３の接続部１３４、コンタクト１４、コンタクト１５及びヒューズ１７を内部に収納する収納部１１５を有している。ハウジング１１の上面には、収納部１１５の内部を外部に開放する収納用開口部１１６が形成されている。ハウジング１１は、絶縁性を有する材料により形成されている。
【００１８】
カバー１２は、板状であり、ハウジング１１の収納部１１５の上方を覆った状態でハウジング１１にネジ１８により固定されている。カバー１２には、厚み方向に貫通して外部と収納部１１５とを連通する連通孔１２１が形成されている。連通孔１２１の前後方向（図２の左右方向）の両端側における左右方向（図２の上下方向）の幅Ｗ１は、ヒューズ１７の左右方向の幅よりも少しだけ幅広であり、ヒューズ１７を挿入する際のガイドとなる。連通孔１２１の左右には、連通孔１２１に連通する凹部１２４ａ、１２４ｂが設けられている。凹部１２４ａの連通孔１２１に対向する端部と、凹部１２４ｂの連通孔１２１に対向する端部との幅Ｗ２は、連通孔１２１の左右方向の幅Ｗ１に比べて、幅広になっている（Ｗ２＞Ｗ１）。連通孔１２１は、ハウジング１１にヒューズ１７が収納されていない場合に、コンタクト１３の接続部１３４と、コンタクト１４の接続部１４１と、を外部に露出する。
【００１９】
コンタクト１３は、導電性を有する材料により形成され、筒状に形成された接続部１３１と、接続部１３１に設けられて内方に曲げ起こされた接続片１３２と、接続部１３１において接続片１３２よりも後方に設けられて内方に曲げ起こされた接続片１３３と、接続
部１３１から後方に延設された接続部１３４と、を有している。接続部１３１は、ハウジング１１の開口部１１３内に配置されている。接続部１３４は、図３に示すように、後方から見て、底面部の左右から上方に折り曲げられると共に、上端が内側にＵ字状に折り曲げられて形成された互いに対向する接触片１３４ａを有している。対向する接触片１３４ａ同士の間隔は、ヒューズ１７の電極１７１ａの厚み方向の幅よりも小さくなっている。対向する接触片１３４ａは、ヒューズ１７の電極１７１ａが挿入された際に、自身の弾性復帰力によりヒューズ１７の電極１７１ａを圧接挟持して電極１７１ａに対して弾性接触することにより、電極１７１ａに接続する。
【００２０】
コンタクト１４は、導電性を有する材料により形成されていると共に、コンタクト１３に対して離間してコンタクト１３の後方に配置されている。コンタクト１４は、ヒューズ１７の電極１７１ｂに接続する接続部１４１と、ケーブル１６の導電部１６１と接続する接続部１４２と、を有している。接続部１４１は、図示を省略するが接続部１３４と同様に、後方から見て、底面部の左右から上方に折り曲げられると共に、上端が内側にＵ字状に折り曲げられて形成された互いに対向する接触片１４１ａを有している。対向する接触片１４１ａ同士の間隔は、ヒューズ１７の電極１７１ｂの厚み方向の幅よりも小さくなっている。対向する接触片１４１ａは、自身の弾性力によりヒューズ１７の電極１７１ｂを圧接挟持して電極１７１ｂに対して弾性接触することにより、電極１７１ｂに接続する。コンタクト１４は、ケーブル１６の導電部１６１を介して電源の陽極に接続される。コンタクト１４に接続するケーブル１６は陽極用であり、導電部１６１を被覆する絶縁部１６２の色は赤色とする。
【００２１】
コンタクト１５は、導電性を有する材料により形成され、筒状に形成された接続部１５１と、接続部１５１に設けられて内方に曲げ起こされた接続片１５２と、接続部１５１において接続片１５２よりも後方に設けられて内方に曲げ起こされた接続片１５３と、接続部１５１から後方に延設された接続部１５４と、を有している。接続部１５４は、ケーブル１６の導電部１６１に接続している。コンタクト１５は、ケーブル１６の導電部１６１を介して電源の陰極に接続される。コンタクト１５に接続するケーブル１６は陰極用であり、導電部１６１を被覆する絶縁部１６２の色は黒色とする。
【００２２】
ヒューズ１７は、二つの電極１７１ａ、１７１ｂを有している。ヒューズ１７は、カバー１２の連通孔１２１を貫通してハウジング１１の収納部１１５に収納される。ヒューズ１７は、ハウジング１１に収納された状態で上端が連通孔１２１から上方に突出している（図３参照）。電極１７１ａは、接触片１３４ａと弾性接触することによりコンタクト１３の接続部１３４に接続する。電極１７１ｂは、接触片１４１ａと弾性接触することによりコンタクト１４の接続部１４１に接続する。
【００２３】
本発明の第１の実施形態に係るソケット型ＤＣコネクタ２０の構成について、図６から図８を参照しながら詳細に説明する。
【００２４】
ソケット型ＤＣコネクタ２０は、ハウジング２１と、コンタクト２３ａと、コンタクト２３ｂと、を有している。本実施形態において、ソケット型ＤＣコネクタ２０と、プラグ型ＤＣコネクタ１０ａ又はプラグ型ＤＣコネクタ１０ｂと、はＤＣコネクタ４を構成する。また、ソケット型ＤＣコネクタ２０は、プラグ型ＤＣコネクタ１０ａ、１０ｂの相手側コネクタである。
【００２５】
ハウジング２１は、プラグ型ＤＣコネクタ１０ａ、１０ｂを挿入するための前方（図７の下方）に開口したプラグ挿入口２１１ａ、２１１ｂを有している。プラグ挿入口２１１ａ、２１１ｂの内部後方には、凹部２１６よりも前方に突出した突出部２１５と、突出部２１５よりも後方に凹んだ凹部２１６と、突出部２１５と凹部２１６とを接続する接続部
２１７と、が形成されている。ハウジング２１には、上面の前端において下方に突出する係合部２２０と、係合部２２０から後方に延設された溝部２２２と、が形成されている。ハウジング２１には、下面の前端において上方に突出する係合部２２１と、係合部２２１から後方に延設された溝部２２３と、が形成されている。突出部２１５には、前後に貫通する貫通孔２１８が形成されている。貫通孔２１８には、コンタクト２３ｂが挿入される。凹部２１６には、前後に貫通した貫通孔２１９が形成されている。貫通孔２１９には、コンタクト２３ａが挿入される。ハウジング２１は、左右側方に突出した固定部２１２及び固定部２１３を有している。固定部２１２には、上下方向に貫通する貫通孔２１４が形成されている。固定部２１３には、上下方向に貫通する貫通孔２２４が形成されている。固定部２１２及び固定部２１３は、図示しないバスバーに固定される。ハウジング２１は、絶縁性を有する材料により形成されている。
【００２６】
コンタクト２３ａは、接続部２３１ａと、端子部２３２ａと、係止爪２３４ａと、係止部２３５ａと、を有し、導電性を有する材料により形成されている。接続部２３１ａは、棒状であり、プラグ挿入口２１１ａ、２１１ｂ内に配置される。係止爪２３４ａは、ハウジング２１の凹部２１６の前面に係止して、コンタクト２３ａが後方へ抜けることを防止している。係止部２３５ａは、ハウジング２１の凹部２１６の後面に係合して、コンタクト２３ａが前方へ抜けることを防止している。端子部２３２ａは、ハウジング２１の後方壁から外部後方に突出し、板厚方向に貫通する貫通孔２３３ａを有し、図示しないバスバーに接続する。
【００２７】
コンタクト２３ｂは、接続部２３１ｂと、端子部２３２ｂと、係止爪２３４ｂと、係止部２３５ｂと、を有し、導電性を有する材料により形成されている。接続部２３１ｂは、棒状であり、プラグ挿入口２１１ａ、２１１ｂに配置される。係止爪２３４ｂは、ハウジング２１の突出部２１５の前面に係止して、コンタクト２３ｂが後方へ抜けることを防止している。係止部２３５ｂは、ハウジング２１の突出部２１５の後面に係合して、コンタクト２３ｂが前方へ抜けることを防止している。端子部２３２ｂは、ハウジング２１の後方壁から外部後方に突出し、板厚方向に貫通する貫通孔２３３ｂを有し、図示しないバスバーに接続する。コンタクト２３ｂは、コンタクト２３ａと同一形状である。
【００２８】
上記の構成を有するソケット型ＤＣコネクタ２０において、コンタクト２３ａの端子部２３２ａの貫通孔２３３ａ及び固定部２１３の貫通孔２１５に図示しないネジが挿入されてコンタクト２３ａ及び固定部２１３がバスバーに固定され、コンタクト２３ｂの端子部２３２ｂの貫通孔２３３ｂ及び固定部２１２の貫通孔２１４に図示しないネジが挿入されてコンタクト２３ｂ及び固定部２１２がバスバーに固定される。この際、端子部２３２ａ及び端子部２３２ｂは、バスバーに電気的に接続する。
【００２９】
プラグ型ＤＣコネクタ１０ａは、以下で説明するように組み立てられる。
【００３０】
まず、ハウジング１１の収納用開口部１１６から収納部１１５内に、コンタクト１３を接続部１３１を前方に向けた状態で上方より挿入し、続いてコンタクト１３を前方に移動させることにより、コンタクト１３の接続部１３１を開口部１１３内に位置させる。
【００３１】
次に、ケーブル１６の導電部１６１を予め接続部１４２に接続及び固定しておいたコンタクト１４と、ケーブル１６の導電部１６１を予め接続部１５４に接続及び固定しておいたコンタクト１５を、ハウジング１１の収納用開口部１１６から収納部１１５内に上方より挿入して収納部１１５に収納する。なお、コンタクト１３、コンタクト１４及びコンタクト１５には図示しない係止片が設けられ、この係止片をハウジング１１の内壁部に係合することにより、コンタクト１３、コンタクト１４及びコンタクト１５の各々がハウジング１１に固定される。
【００３２】
次に、カバー１２をハウジング１１の収納用開口部１１６を覆った状態でハウジング１１にネジ１８で固定する。これにより、カバー１２の突出片１２２により、コンタクト１３及びコンタクト１５がハウジング１１の収納部１１５の内底面に押圧されると共に、カバー１２の突出片１２３により、コンタクト１４がハウジング１１の収納部１１５の内底面に押圧されて、収納部１１５内におけるコンタクト１３、コンタクト１４及びコンタクト１５の移動を阻止する。
【００３３】
次に、カバー１２の連通孔１２１を挿入ガイドにして、ヒューズ１７を上方より連通孔１２１に挿入して貫通させ、ヒューズ１７をハウジング１１の収納部１１５内に収納させる。この際、ヒューズ１７の電極１７１ａは、コンタクト１３の左右の接続部１３４の接触片１３４ａを、接触片１３４ａの弾性力に抗して左右側方に押し広げながら挿入されることにより、接触片１３４ａと弾性接触する。また、ヒューズ１７の電極１７１ｂは、コンタクト１４の左右の接続部１４１の接触片１４１ａを、接触片１４１ａの弾性力に抗して左右側方に押し広げながら挿入されることにより、接触片１４１ａと弾性接触する。これにより、コンタクト１３と電極１７１ａとが良好に接続すると共に、コンタクト１４と電極１７１ｂとが良好に接続し、更に、接触片１３４ａの弾性復帰力により電極１７１ａが接触片１３４ａに圧接挟持されると共に接触片１４１ａの弾性復帰力により電極１７１ｂが接触片１４１ａに圧接挟持され、ヒューズ１７が上方へ抜け難くなっている。
【００３４】
連通孔１２１を挿入ガイドとしてヒューズ１７をハウジング１１の収納部１１５に収納するので、ハウジング１１の収納部１１５に対するヒューズ１７の挿入を容易に行うことができる。また、接触片１３４ａ及び接触片１４１ａを連通孔１２１から外部に露出させるので、ヒューズ１７の電極１７１ａと接触片１３４ａとの接続の際のヒューズ１７の位置決め、及びヒューズ１７の電極１７１ｂと接触片１４１ａとの接続の際のヒューズ１７の位置決めを確実に行うことができる。
【００３５】
上記により組み立てたプラグ型ＤＣコネクタ１０ａにおいて、ヒューズ１７を交換する場合には、凹部１２４ａ、１２４ｂに指を差し込んで、ヒューズ１７を上方へ引っ張り上げる。この際、ヒューズ１７の電極１７１ａと接触片１３４ａ、及びヒューズ１７の電極１７１ｂと接触片１４１ａとは、接触片１３４ａ及び接触片１４１ａの弾性復帰力によりヒューズ１７が上方へ抜け難くなっているだけであるため、少し強めの力を加えてヒューズ１７を上方に引っ張り上げることにより、比較的容易にヒューズ１７を抜き取ることができる。また、ヒューズ１７の上端は連通孔１２１から上方に突出しているため、この突出している部分をつまんでヒューズ１７を容易に上方に引っ張り上げることができる。
【００３６】
そして、カバー１２の連通孔１２１を挿入ガイドにして、新たなヒューズ１７を上方より連通孔１２１に挿入して貫通させ、ハウジング１１の収納部１１５内に収納させる。
【００３７】
上記のように組み立てたプラグ型ＤＣコネクタ１０ａ、１０ｂと、ソケット型ＤＣコネクタ２０と、を接続する場合には、図９及び図１０に示すように、プラグ型ＤＣコネクタ１０ａをプラグ挿入口２１１ａに挿入し、プラグ型ＤＣコネクタ１０ｂをプラグ挿入口２１１ｂに挿入する。
【００３８】
プラグ型ＤＣコネクタ１０ａ、１０ｂをプラグ挿入口２１１ａ、２１１ｂに挿入する過程で、ロック部１１１が係合部２２０及び係合部２２１により内方に押圧されることによりロック部１１１が接続部１１７を支点に内方に弾性変形する。そして、係止爪１１２の後端が係合部２２０及び係合部２２１の後端を通り過ぎることによりロック部１１１が自身の弾性復帰力により元の状態に復帰し、係止爪１１２の後端がソケット型ＤＣコネクタ２０の係合部２２０、２２１の後端に当接して、プラグ型ＤＣコネクタ１０ａ、１０ｂと
ソケット型ＤＣコネクタ２０とが嵌合する。これにより、プラグ型ＤＣコネクタ１０ａのコンタクト１３及びコンタクト１４はソケット型ＤＣコネクタ２０のコンタクト２３ａに接続し、プラグ型ＤＣコネクタ１０ｂのコンタクト１５はソケット型ＤＣコネクタ２０のコンタクト２３ｂに接続する。また、図示しない電源と電子機器とが、プラグ型ＤＣコネクタ１０ａ、１０ｂと、ソケット型ＤＣコネクタ２０と、バスバーと、を介して接続され、電源から電子機器に給電される。
【００３９】
ここで、プラグ型ＤＣコネクタ１０ａ、１０ｂのハウジング１１の前面に突出部１１４を設け、ソケット型ＤＣコネクタ２０のハウジング２１の突出部２１５及び凹部２１６に対応する形状の凹凸形状をハウジング１１の前面に設けることにより、プラグ型ＤＣコネクタ１０ａ、１０ｂを上下逆にしてプラグ挿入口２１１ａ、２１１ｂに挿入した場合には、コンタクト１５とコンタクト２３ａとが接続する前に、プラグ型ＤＣコネクタ１０ａ、１０ｂの突出部１１４がソケット型ＤＣコネクタ２０の突出部２１５に当接して、それ以上挿入できない状態になる。これにより、プラグ型ＤＣコネクタ１０ａ、１０ｂとソケット型ＤＣコネクタ２０との誤嵌合を防止することができる。特に、コンタクト１３及びコンタクト１４が電源の陽極に接続されると共に、コンタクト１５が電源の陰極に接続される場合において、プラグ型ＤＣコネクタ１０ａ、１０ｂの上下の向きを間違えて極性を逆にして、プラグ挿入口２１１ａ、２１１ｂにプラグ型ＤＣコネクタ１０ａ、１０ｂを挿入しても、誤接続しないようにすることができる。また、コンタクト１４に接続する陽極用のケーブル１６の絶縁部１６２の色を赤色にし、コンタクト１５に接続する陰極用のケーブル１６の絶縁部１６２の色を黒色にすることにより、ケーブル１６の絶縁部１６２の色を見てプラグ型ＤＣコネクタ１０ａ、１０ｂをソケット型ＤＣコネクタ２０に誤接続しないようにすることができる。
【００４０】
プラグ型ＤＣコネクタ１０ａ、１０ｂをソケット型ＤＣコネクタ２０のプラグ挿入口２１１ａ、２１１ｂから引き抜く場合には、左右のロック部１１１を内方に押圧して係止爪１１２と係合部２２０、２２１との係合を解除させる。この状態でプラグ型ＤＣコネクタ１０ａ、１０ｂを引き抜くことにより、コンタクト１３及びコンタクト１４とコンタクト２３ａとの接続が解除されると共に、コンタクト１５とコンタクト２３ｂとの接続が解除される。これにより、電子機器と電源との接続が切断されて、電源から電子機器への給電が停止する。
【００４１】
このように、本実施形態によれば、プラグ型ＤＣコネクタ１０ａ、１０ｂにヒューズ１７を設けたので、給電路の一部を構成するケーブルの途中にヒューズを挿入する面倒なハーネス加工を不要にすることができる。
【００４２】
また、本実施形態によれば、ソケット型ＤＣコネクタのプラグ挿入口２１１ａ、２１１ｂを、前方に互いに隣接して開口するように配置したので、全体的にコンパクトとなり小型化することができる。
【００４３】
なお、本実施形態において、ソケット型ＤＣコネクタにプラグ挿入口を２つ設けたが、１つ又は３つ以上設けてもよい。プラグ挿入口を１つ設けた場合には、更に小型化することができる。また、プラグ挿入口を３つ以上設けた場合には、ソケット型ＤＣコネクタを電子機器に設けることにより複数の電源から電子機器に給電することができる。
【００４４】
また、本実施形態において、プラグ型ＤＣコネクタにおいて、電源の陽極に接続するコンタクト間にヒューズを設けたが、電源の陰極に接続するコンタクト間にヒューズを設けてもよい。この場合には、プラグ型ＤＣコネクタの電源の陰極に接続するコンタクトを、ソケット型ＤＣコネクタのコンタクトに接続するコンタクトとケーブルに接続するコンタクトとの２つに分割して、分割したコンタクト間をヒューズで接続する。
【００４５】
（第２の実施形態）
本発明の第２の実施形態に係るＤＣコネクタの構成について、詳細に説明する。
【００４６】
本実施形態のＤＣコネクタは、図１１及び図１２に示すように、ソケット１と二つのプラグ２ａ、２ｂとからなり、図１８〜図２１に示すように、該二つのプラグ２ａ、２ｂは、各々その先端に開口する各二つの開口部２ａｍ、２ａｍ、２ｂｍ、２ｂｍ内に導電性の棒状コンタクト２ａｒ、２ａｒ、２ｂｒ、２ｂｒを配し、かつ該二つのプラグ２ａ、２ｂは相互にその上面又は下面に各々を特徴付けるキー溝２ａｋ、２ｂｋを構成し、他方、図１１〜図１７に示すように、前記ソケット１は、二段重ね状態に開口した、前記二つのプラグ２ａ、２ｂを挿入するための上下二段のプラグ挿入口１ａｍ、１ｂｍを開口したハーネス側ユニット１ａと図示しないサーバーラックのバスバーに接続するバスバー側ヘッダー１ｂとからなる。本実施形態のＤＣコネクタは、電源から電子機器に給電する給電路に設けられる。なお、ソケット１はソケット型ＤＣコネクタであり、プラグ２ａ及びプラグ２ｂはプラグ型ＤＣコネクタである。
【００４７】
前記プラグ２ａは、図１２(b)に示すように、前記ソケット１のハーネス側ユニット１ａの上下二段のプラグ挿入口１ａｍ、１ｂｍのうちの、上段のプラグ挿入口１ａｍに挿入するそれであり、図１８及び図１９に示すように、ほぼ薄型直方体状のハウジング２ａｈ及びこれに構成した各構成要素からなり、前記開口部２ａｍ、２ａｍは、図１８(a)及び図１９(b)に示すように、該ハウジング２ａｈの先端に横方向に並べて開口した空洞であり、前記キー溝２ａｋは、該ハウジング２ａｈの上面側に構成した溝状部である。
【００４８】
前記開口部２ａｍ、２ａｍは、図１８(a)及び図１９(b)に示すように、プラグ２ａのハウジング２ａｈの正面に二つ並んで配され、図１９(a)に示すように、その長さ方向に沿って後方に延長した円筒状の空洞部であり、前記棒状コンタクト２ａｒ、２ａｒは、各開口部２ａｍ、２ａｍの最奥部からその軸心に沿ってその内部を前方に向かって延長状態に配したものである。該棒状コンタクト２ａｒ、２ａｒは、外観的には棒状であるが、内部は空洞となった円筒状部材で構成したものであり、前記開口部２ａｍ、２ａｍ中で、その先端は該開口部２ａｍ、２ａｍの先端より若干後退した位置に位置させるものとする。また該棒状コンタクト２ａｒ、２ａｒは、図１９(a)に示すように、その後端は、それぞれ該プラグ２ａのハウジング２ａｈ中に後端から引き込まれたケーブル２ａｃ、２ａｃの先端と結合し、電気的に接続する。なお、このケーブル２ａｃ、２ａｃは陽極用であり、その被覆は赤色とする。
【００４９】
前記キー溝２ａｋは、図１８(a)〜(c)及び図１９(a)、(b)に示すように、前記ハウジング２ａｈの上面の正面から見て左側前部の位置に二本の突条をキー幅を若干越える幅で該ハウジング２ａｈの長さ方向に沿って突設することにより構成したものである。また該ハウジング２ａｈには、図１８(a)、(e)及び図１９(b)、(c)に示すように、その下面の正面から見て中央前部の位置に該ハウジング２ａｈの長さ方向に沿って凹溝２ａｇを形成してある。該凹溝２ａｇは、該ハウジング２ａｈの該部位を削除することにより構成したものである。
【００５０】
前記プラグ２ａ、２ｂのうち、他方のプラグ２ｂは、図１２(b)に示すように、前記ソケット１のハーネス側ユニット１ａの上下二段のプラグ挿入口１ａｍ、１ｂｍのうちの、下段のプラグ挿入口１ｂｍに挿入するそれであり、図２０及び図２１に示すように、前記プラグ２ａと同様に、薄型直方体状のハウジング２ｂｈ及びこれに構成した各構成要素からなり、前記開口部２ｂｍ、２ｂｍは、図２０(a)及び図２１(b)に示すように、該ハウジング２ｂｈの先端に横方向に並べて開口した空洞であり、前記キー溝２ｂｋは、該ハウジング２ｂｈの正面視で上面右側に構成したものである。なお、このプラグ２ｂは、上下反
転状態で前記ソケット１のハーネス側ユニット１ａの下段のプラグ挿入口１ｂｍに挿入するものである。
【００５１】
前記開口部２ｂｍ、２ｂｍは、図２０(a)及び図２１(b)に示すように、プラグ２ｂのハウジング２ｂｈの正面に二つ並んで配され、図２１(a)に示すように、その長さ方向に沿って後方に延長した円筒状の空洞部であり、前記棒状コンタクト２ｂｒ、２ｂｒは、各開口部２ｂｍ、２ｂｍの最奥部からその軸心に沿ってその内部を前方に向かって延長したものである。該棒状コンタクト２ｂｒ、２ｂｒは、外観的には棒状であるが、内部は空洞となった円筒状部材で構成したものであり、前記開口部２ｂｍ、２ｂｍ中で、その先端は、該開口部２ｂｍ、２ｂｍの先端より若干後退した位置に位置させるものとする。また該棒状コンタクト２ｂｒ、２ｂｒは、図２１(a)に示すように、それらの後端を、それぞれ該プラグ２ｂのハウジング２ｂｈ中に後端から引き込まれたケーブル２ｂｃ、２ｂｃの先端に結合し、相互を電気的に接続する。なお、これらのケーブル２ｂｃ、２ｂｃは陰極用であり、この実施例では、その被覆は黒に着色したものを用いる。
【００５２】
前記キー溝２ｂｋは、図２０(a)、(b)、(e)及び図２１(b)に示すように、前記ハウジング２ｂｈの上面の正面から見て右側前部の位置に二本の突条をキー幅を若干越える幅で該ハウジング２ｂｈの長さ方向に沿って配することにより構成してあるものである。また該ハウジング２ｂｈには、図２０(a)、(f)及び図２１(b)、(c)に示すように、その下面の正面から見て中央前部の位置に該ハウジング２ｂｈの長さ方向に沿って凹溝２ｂｇを形成してある。該凹溝２ｂｇは、該ハウジング２ｂｈの該部位を削除することにより構成したものである。
【００５３】
前記ソケット１は、前記し、図１１〜図１５に示すように、ハーネス側ユニット１ａとその下面に接合固定するバスバー側ヘッダー１ｂとからなる。
【００５４】
また前記ハーネス側ユニット１ａは、図１１、図１４、図１６及び図１７に示すように、正面視で概ね正方形で奥行き方向に長いほぼ直方体状のハウジング１ａｈと、これに構成し又は配した構成要素とからなる。該ハウジング１ａｈは、特に図１４及び図１５に示すように、後上部が開いた構成となっており、該ハウジング１ａｈの開いた後上部は蓋体１ａｌで被覆するようになっている。該蓋体１ａｌは、該位置を閉じるべくその位置に配すると、図示しない両側の係止手段でその位置に固定されるようになっている。該蓋体１ａｌには、図１４に示すように、そのほぼ中央部に左右に並んだ四辺形の二つの切欠開口１ａｌｈ、１ａｌｈが並列状態に形成してあり、これらは、同図に示すように、それぞれ小蓋体１ａｓｌ、１ａｓｌで閉じることができるようになっている。該小蓋体１ａｓｌ、１ａｓｌはその両側に垂下する側片を備え、その外面側に返り片が配してあり、該小蓋体１ａｓｌ、１ａｓｌで該切欠開口１ａｌｈ、１ａｌｈを閉じると、両側片が該切欠開口１ａｌｈ、１ａｌｈの側辺下に進入し、該返り片がその該側辺の縁部に係止して、外れ止めとなる。
【００５５】
前記蓋体１ａｌに開口した二つの切欠開口１ａｌｈ、１ａｌｈは、前記ハウジング１ａｈの対応する位置のヒューズ配置部に配したヒューズ３、３の直上に位置し、前記小蓋体１ａｓｌ、１ａｓｌを必要に応じて取り外して該切欠開口１ａｌｈ、１ａｌｈを開いて、該ヒューズ３、３の交換を行い得るようにしたものである。
【００５６】
前記プラグ挿入口１ａｍ、１ｂｍは、図１４、図１６(a)及び図１７(c)に示すように、基本的に、該ハウジング１ａｈのほぼ正方形に構成した正面に、上下二段状態に開口する、正面視で、横長長方形の開口部である。
【００５７】
上段のプラグ挿入口１ａｍは、前記したように、上段用のプラグ２ａを挿入し、電気的
に接続するための開口部であり、図１６(a)及び図１７(c)に示すように、その上部右側内面には、該プラグ２ａの、挿入時の向きで右側上面に構成したキー溝２ａｋに嵌合状態となるキー突条１ａｐが下向きに突出状態に構成してあり、かつ下部中央内面には、該プラグ２ａの、挿入時の向きで下面中央に形成してある凹溝２ａｇに嵌合すべく中央突条１ａｊが形成してある。該キー突条１ａｐも、該中央突条１ａｊも、それぞれ該プラグ挿入口１ａｍの長さ方向に沿って長く構成してある。それぞれの長さは、該キー突条１ａｐは、前記キー溝２ａｋの長さに対応させ、該中央突条１ａｊは、前記凹溝２ａｇの長さに対応させたものである。
【００５８】
更に該プラグ挿入口１ａｍには、図１２(c)、図１４、図１６(a)及び図１７(a)、(c)に示すように、前記プラグ２ａをこれに挿入した場合に、その正面に横並びに開口した二つの開口部２ａｍ、２ａｍのそれぞれの最奧部から突出させた棒状コンタクト２ａｒ、２ａｒに嵌合すべく、対応する位置関係で、最奧部から突出状態に、導電性の筒状コンタクト１ａｃ、１ａｃを構成してある。該筒状コンタクト１ａｃ、１ａｃは、円筒状の導電性金属部材からなり、図１２(c)及び図１７(a)に示すように、その内側に保持バネを膨出させてあり、挿入されたプラグ２ａの棒状コンタクト２ａｒ、２ａｒを保持する役割を果たし、かつ同時に確実な電気的接続を確保している。
【００５９】
またハーネス側ユニット１ａには、図１２(c)及び図１７(a)に示すように、該筒状コンタクト１ａｃ、１ａｃの各後方に前記ヒューズ配置部が構成してあり、前記のように、該ヒューズ配置部にはヒューズ３、３が配してある。これらのヒューズ配置部の前端側と前記筒状コンタクト１ａｃ、１ａｃの後端との間には前部帯状導体３ａｆｃ、３ａｆｃが配してあり、これらによって、該筒状コンタクト１ａｃ、１ａｃの後端と該ヒューズ配置部に装入配置されるヒューズ３、３の前端側とが電気的に接続されるようになっている。なお、該前部帯状導体３ａｆｃ、３ａｆｃは、同図に示すように、ハーネス側ユニット１ａの後部の開いた部分の上面を通じて該筒状コンタクト１ａｃ、１ａｃの後端から後方のヒューズ配置部の前端側まで延長してある。
【００６０】
図１２(c)及び図１７(a)に示すように、更に該ヒューズ配置部の後端側は、後方に延びて後端で下方に直角に屈曲する後部帯状導体３ａｒｃ、３ａｒｃの前端に接続している。なお、該後部帯状導体３ａｒｃ、３ａｒｃの該ヒューズ配置部の後端側から下方に直角に屈曲する位置までの部分は、ハーネス側ユニット１ａの後部の開いた部分の上面を通じて延長してあり、その上面側は、前記抑え蓋体１ａｌで抑えられるようになっている。ヒューズ３、３の後端側が該後部帯状導体３ａｒｃ、３ａｒｃに電気的に接続し、後方に電路を構成するようになっている訳である。該後部帯状導体３ａｒｃ、３ａｒｃは、その下端部（導体の後端部）がこのハーネス側ユニット１ａのハウジング１ａｈの後端下部から突出し、前記バスバー側ヘッダー１ｂの陽極側の端子部１ｂａｔ、１ｂａｔの上端部と接触結合する連結端子として機能するようになっている。
【００６１】
前記下段のプラグ挿入口１ｂｍは、前記したように、下段用のプラグ２ｂを挿入し、電気的に接続するための開口部であり、図１４、図１６(a)及び図１７(c)に示すように、その下部右側内面には、該プラグ２ｂの、挿入時の向きで右側下面に構成したキー溝２ｂｋに嵌合状態となるキー突条１ｂｐが上向きに突出状態に構成してあり、かつ上部中央内面には、該プラグ２ｂの、挿入時の向きで上面中央に形成してある凹溝２ｂｇに嵌合すべく中央突条１ｂｊが形成してある。該キー突条１ｂｐの構成態様は、位置関係を除けば、前記プラグ挿入口１ａｍのキー突条１ａｐと同様であり、該中央突条１ｂｊは、位置関係を除けば、前記プラグ挿入口１ａｍの中央突条１ａｊと同様である。
【００６２】
更に該プラグ挿入口１ｂｍには、図１２(c)、図１４、図１６(a)及び図１７(a)、(c)に示すように、前記プラグ２ｂをこれに挿入した場合に、該プラグ２ｂの正面に横並びに開
口した二つの開口部２ｂｍ、２ｂｍのそれぞれの最奧部から突出させた棒状コンタクト２ｂｒ、２ｂｒに嵌合すべく、対応する位置関係で、最奧部から突出状態に、導電性の筒状コンタクト１ｂｃ、１ｂｃを構成してあるものである。該筒状コンタクト１ｂｃ、１ｂｃは、前記筒状コンタクト１ａｃ、１ａｃと同様の構成であり、図１２(c)及び図１７(a)に示すように、その内部に保持バネを膨出させてあり、挿入されたプラグ２ｂの棒状コンタクト２ｂｒ、２ｂｒを保持する役割を果たし、かつ同時に確実な電気的接続を確保している。
【００６３】
また、図１２(c)及び図１７(a)に示すように、該筒状コンタクト１ｂｃ、１ｂｃの各後端に他の前部帯状導体３ｂｆｃ、３ｂｆｃの前端を接続し、これらをハウジング１ａｈの後方に向かって途中まで延長し、それらの後端を同様に他の後部帯状導体３ｂｒｃ、３ｂｒｃの上端に接続してある。これらの後部帯状導体３ｂｒｃは、該ハーネス側ユニット１ａのハウジング１ａｈに横並びで垂下状態に配してあり、その下端部（導体の後端部）が該ハーネス側ユニット１ａのハウジング１ａｈの下面から突出し、前記バスバー側ヘッダー１ｂの陰極側の端子部１ｂｂｔ、１ｂｂｔの上端部と接触結合する連結端子として機能するようになっている。
【００６４】
なお、図１２(a)、(c)、図１５、図１６(c)、(d)及び図１７(a)、(b)、(d)に示すように、前記ハーネス側ユニット１ａのハウジング１ａｈの後端に屈曲垂下させる前記後部帯状導体３ａｒｃ、３ａｒｃは、該ハウジング１ａｈの奥行き方向に直交する向きにその面の向きを設定して配置してあり、また該ハウジング１ａｈの後部手前に垂下状態に配置してある前記後部帯状導体３ｂｒｃ、３ｂｒｃは、該ハウジング１ａｈの奥行き方向に沿った向きにその面の向きを設定して配置してある。
【００６５】
前記バスバー側ヘッダー１ｂは、図１１(b)、(c)、図１２、図１３、図１４及び図１５に示すように、基本的に、その平面形状は、前記ハーネス側ユニット１ａのハウジング１ａｈのそれの前部側の一部及び長さ方向途中の両側が欠けた概ね瓢箪型の板状部材である。その側部の欠けた部分より前部寄りの両側にはブラケット１ｂｂ、１ｂｂを突出させてある。該ブラケット１ｂｂ、１ｂｂは、該バスバー側ヘッダー１ｂの上面を前記ハーネス側ユニット１ａのハウジング１ａｈの下面に接合した場合に、該ハウジング１ａｈの下側部両側に突出させてあるブラケット１ａｂ、１ａｂと当接状態となるように位置決めしてある。該バスバー側ヘッダー１ｂのブラケット１ｂｂ、１ｂｂには、ボルトｂ、ｂに螺合する雌ねじが形成してあり、かつ該ハーネス側ユニット１ａのハウジング１ａｈのブラケット１ａｂ、１ａｂには該ボルトｂ、ｂの螺旋軸部を貫通させるボルト孔が形成してあり、後者のブラケット１ａｂ、１ａｂのボルト孔から挿入したボルトｂ、ｂを前者のブラケット１ｂｂ、１ｂｂの雌ねじに螺合することで、該ハーネス側ユニット１ａの下面へのバスバー側ヘッダー１ｂの上面の接合状態を固定することができる。
【００６６】
該バスバー側ヘッダー１ｂには、図１３及び図１５に示すように、その最後部に下面側に露出する、前記陽極側の端子部１ｂａｔ、１ｂａｔが配してあり、これより若干前方で下面側に露出する、前記陰極側の端子部１ｂｂｔ、１ｂｂｔが配してある。図１２(c)及び図１３〜図１５に示すように、最後部の陽極側の端子部１ｂａｔ、１ｂａｔは、ハーネス側ユニット１ａの下面と接合する上面（接合面）に開口するスリット１ｂｙｓ、１ｂｙｓまでその上端を延長させ、下端は、前記のように、該バスバー側ヘッダー１ｂの下面に露出し、下面との境界で後方に屈曲した接続部を構成している。また前記陰極側の端子部１ｂｂｔ、１ｂｂｔは、該陽極側の端子部１ｂａｔ、１ｂａｔより若干前方で、その上端をハーネス側ユニット１ａの下面と接合する上面（接合面）に開口するスリット１ｂｉｓ、１ｂｉｓまで延長させ、下端は、前記のように、該バスバー側ヘッダー１ｂの下面に露出し、下面との境界で外側方に屈曲した接続部を構成している。
【００６７】
図１４に示すように、前記陽極側の端子部１ｂａｔ、１ｂａｔの上端が位置するスリット１ｂｙｓ、１ｂｙｓは、該バスバー側ヘッダー１ｂの長さ方向に直交する向きに構成し、前記陰極側のスリット１ｂｉｓ、１ｂｉｓは、長さ方向に沿った向きに構成したものである。
【００６８】
前記し、図１２(c)に示すように、ハーネス側ユニット１ａのハウジング１ａｈの下面にバスバー側ヘッダー１ｂの上面を接合すると、該ハーネス側ユニット１ａのハウジング１ａｈの後部下面から垂下するヒューズ３、３に接続する前記後部帯状導体３ａｒｃ、３ａｒｃの下端部が、該バスバー側ヘッダー１ｂの後部側のスリット１ｂｙｓ、１ｂｙｓに進入嵌合し、前記上側の筒状コンタクト１ａｃ、１ａｃが、前部帯状導体３ａｆｃ、３ａｆｃ、ヒューズ３、３及び後部帯状導体３ａｒｃ、３ａｒｃを介して、前記陽極側の端子部１ｂａｔ、１ｂａｔに電気的に接続することになる。同時に、該ハーネス側ユニット１ａのハウジング１ａｈの前後方向途中の両側から垂下する両側部の後部帯状導体３ｂｒｃ、３ｂｒｃの下端部が、該バスバー側ヘッダー１ｂの両側部のスリット１ｂｉｓ、１ｂｉｓに進入嵌合し、前記下側の筒状コンタクト１ｂｃ、１ｂｃが、前部帯状導体３ｂｆｃ、３ｂｆｃ及び後部帯状導体３ｂｒｃ、３ｂｒｃを介して、前記陰極側の端子部１ｂｂｔ、１ｂｂｔに電気的に接続することになる。
【００６９】
なお、陽極側の端子部１ｂａｔ、１ｂａｔは、前記バスバー側ヘッダー１ｂの下端に露出している部分に結合穴が開口してあり、これを利用して該端子部１ｂａｔ、１ｂａｔの該部位を図示しない陽極側のバスバーに接続することができる。前記陰極側の端子部１ｂｂｔ、１ｂｂｔも同様であり、前記バスバー側ヘッダー１ｂの下端に露出している部分に結合穴が開口してあり、これを利用して該陰極側の端子部１ｂｂｔ、１ｂｂｔの該部位を図示しない陰極側のバスバーに接続することができる。こうしてこのＤＣコネクタのソケット１を電気的及び機械的にバスバーに接続することができる。
【００７０】
従って、この実施例のＤＣコネクタによれば、バスバーを備えたデーターセンター向けのサーバーラックに、その中央部付近には集中電源ユニットを、他の部位には複数のサーバーを搭載した上で、各サーバーに電源を供給する構成の場合に、サーバーラックから延長する陽極側のケーブル２ａｃ、２ａｃの一端を前記上方側のプラグ２ａの棒状コンタクト２ａｒ、２ａｒの後端に接続し、陰極側のケーブル２ｂｃ、２ｂｃの一端を前記下方側のプラグ２ｂの棒状コンタクト２ｂｒ、２ｂｒの後端に接続し、前記ソケット１のバスバー側ヘッダー１ｂをその下面から突出する端子部１ｂａｔ、１ｂａｔ、１ｂｂｔ、１ｂｂｔを利用して前記陽極側及び陰極側のバスバーに接続固定して使用することができる。
【００７１】
この場合、前記陽極側のプラグ２ａ及び陰極側のプラグ２ｂは、それぞれのハウジング２ａｈ、２ｂｈに配するキー溝２ａｋと２ｂｋの位置及び凹溝２ａｇと２ｂｇの位置を相互に異なるものとし、かつソケット１のハーネス側ユニット１ａのハウジング１ａｈに開口した上段のプラグ挿入口１ａｍと下段のプラグ挿入口１ｂｍにおけるキー突条１ａｐと１ｂｐ及び中央突条１ａｊと１ｂｊとをそれぞれ対応する前記プラグ２ａ、２ｂの対応する構成要素と対応する位置関係で構成したものであるため、前記陽極側のプラグ２ａは、該ソケット１のハーネス側ユニット１ａの上段のプラグ挿入口１ａｍにのみ挿入可能であり、前記陰極側のプラグ２ｂは、該ソケット１のハーネス側ユニット１ａの下段のプラグ挿入口１ｂｍにのみ挿入可能であり、これらに誤接続を起こす問題は生じない。
【００７２】
またこの実施例のＤＣコネクタによれば、そのソケット１のハーネス側ユニット１ａにおけるハウジング１ａｈ中の各ヒューズ配置部にヒューズ３、３を内装し、陽極側の筒状コンタクト１ａｃ、１ａｃに接続する陽極側の電路を構成する前部帯状導体３ａｆｃ、３ａｆｃと後部帯状導体３ａｒｃ、３ａｒｃとの間にヒューズ３、３を介在させたので、前記サーバーを集中電源ユニットに接続する際に、前記陽極側のプラグ２ａの棒状コンタク
ト２ａｒ、２ａｒの後端に接続するケーブル２ａｃ、２ａｃの途中にヒューズ３、３を挿入するような厄介な加工を必要としない。また、前記のように、ソケット１のハーネス側ユニット１ａのハウジング１ａｈには、プラグ挿入口１ａｍ、１ｂｍを二段重ね状態に構成したので、小さなスペースに構成可能になり、このＤＣコネクタ自体を小型化し得たものでもある。
【００７３】
また前記のように、陽極側のケーブル２ａｃ、２ａｃの被覆を赤色に設定し、陰極側のケーブル２ｂｃ、２ｂｃの被覆を黒色に設定したので、該ケーブル２ａｃ、２ａｃ、２ｂｃ、２ｂｃのプラグ２ａ、２ｂ等への接続に際して誤りの生じる虞を低下させることができる。
【００７４】
本実施形態によれば、バスバーを備えたデーターセンター向けのサーバーラックに、その中央部付近には集中電源ユニットを、他の部位には複数のサーバーを搭載し、各サーバーに電源を供給する場合において、サーバーラックから延長すべきケーブルの一端に前記プラグを接続し、ソケットのバスバー側ヘッダーをその下面から突出する端子部でバスバーに接続して使用すると、前記プラグは、それぞれその特有の形状の故に、ソケットの該当するプラグ挿入口にのみ確実に接続可能であり、接続ミスを起こす問題は生じない。
【００７５】
また、本実施形態によれば、そのソケット中の陽極側の導体の途中にヒューズを介在させてあるので、プラグに接続するケーブルの途中にヒューズを挿入するような厄介な加工を必要としない。また、前記のように、ソケットのプラグ挿入口は二段重ね状態に構成したので、小さな横幅内にこれらの構成が可能になり、このＤＣコネクタ自体を小型化し得たものでもある。
【００７６】
また、本実施形態によれば、プラグの一部に有する各々を特徴付ける特有の形状として二つのプラグのハウジングのそれぞれ異なる部位にキー溝を構成し、各プラグ挿入口のそれぞれ対応する部位にキー突条を構成したので、簡単な構成でありながら、各プラグ挿入口には対応するプラグのみを挿入可能にし、プラグの誤挿入を生じる虞を無くしたものである。
【００７７】
また、本実施形態によれば、ケーブルの被覆の色をプラグの棒状コンタクトの極性毎に異なる色に設定したため、相互の接続に際して誤りの生じる虞を低下させることができる。
【産業上の利用可能性】
【００７８】
本発明のプラグ型ＤＣコネクタ及びＤＣコネクタは電子機器の製造業の分野で利用することができる。
【符号の説明】
【００７９】
１    ソケット
１ａ  ハーネス側ユニット
１ａｂ  ハーネス側ユニットのブラケット
１ａｃ  筒状コンタクト
１ａｈ  ハウジング
１ａｊ  中央突条
１ａｌ  抑え蓋
１ａｌｈ  切欠開口
１ａｍ  プラグ挿入口
１ａｐ  キー突条
１ａｓｌ  小蓋体
１ｂ  バスバー側ヘッダー
１ｂａｔ  陽極側の端子部
１ｂｂｔ  陰極側の端子部
１ｂｂ  バスバー側ヘッダーのブラケット
１ｂｃ  筒状コンタクト
１ｂｉｓ  スリット
１ｂｊ  中央突条
１ｂｍ  プラグ挿入口
１ｂｐ  キー突条
１ｂｙｓ  スリット
２ａ  プラグ
２ａｃ  ケーブル
２ａｇ  凹溝
２ａｈ  ハウジング
２ａｋ  キー溝
２ａｍ  開口部
２ａｒ  棒状コンタクト
２ｂ  プラグ
２ｂｃ  ケーブル
２ｂｇ  凹溝
２ｂｈ  ハウジング
２ｂｋ  キー溝
２ｂｍ  開口部
２ｂｒ  棒状コンタクト
３    ヒューズ
３ａｆｃ  前部帯状導体
３ｂｆｃ  前部帯状導体  
３ａｒｃ  後部帯状導体
３ｂｒｃ  後部帯状導体
ｂ  ボルト
４  ＤＣコネクタ
１０ａ  プラグ型ＤＣコネクタ
１０ｂ  プラグ型ＤＣコネクタ
１１  ハウジング
１２  カバー
１３  コンタクト
１４  コンタクト
１５  コンタクト
１６  ケーブル
１７  ヒューズ
１８  ネジ
２０  ソケット型ＤＣコネクタ
２１  ハウジング
２３ａ  コンタクト
２３ｂ  コンタクト
１１１  ロック部
１１２  係止爪
１１３  開口部
１１４  突出部
１１５  収納部
１１６  収納用開口部
１２１  連通孔
１２２  突出片
１２３  突出片
１３１  接続部
１３２  接続片
１３３  接続片
１３４  接続部
１３４ａ  接触片
１４１  接続部
１４１ａ  接触片
１４２  接続部
１５１  接続部
１５２  接続片
１５３  接続片
１５４  接続部
１６１  導電部
２１１ａ  プラグ挿入口
２１１ｂ  プラグ挿入口
２３１ａ  接続部
２３１ｂ  接続部
２３２ａ  端子部
２３２ｂ  端子部
【図１】
2015128038.tif 000003
【図２】
2015128038.tif 000004
【図３】
2015128038.tif 000005
【図４】
2015128038.tif 000006
【図５】
2015128038.tif 000007
【図６】
2015128038.tif 000008
【図７】
2015128038.tif 000009
【図８】
2015128038.tif 000010
【図９】
2015128038.tif 000011
【図１０】
2015128038.tif 000012
【図１１】
2015128038.tif 000013
【図１２】
2015128038.tif 000014
【図１３】
2015128038.tif 000015
【図１４】
2015128038.tif 000016
【図１５】
2015128038.tif 000017
【図１６】
2015128038.tif 000018
【図１７】
2015128038.tif 000019
【図１８】
2015128038.tif 000020
【図１９】
2015128038.tif 000021
【図２０】
2015128038.tif 000022
【図２１】
2015128038.tif 000023